(57)【要約】【課題】地面への踏み付け力を伝え易くしてグリップ性を高めると共に、スムーズな回転動作を行うことができる投擲用シューズのアウトソール等を提供する。【解決手段】本発明に係るアウトソール１０は、第１領域２１と、第１領域よりも内側に位置し、且つ、少なくとも踏み付け部のうち足の第１ＭＰ関節、第２ＭＰ関節及び第３ＭＰ関節に対応する部分に位置する第２領域２２と、を有するアウトソール本体２０を備える。また、アウトソール１０は、第２領域２２上に配置されたアウトソール本体２０よりも剛性が高いプレート状の高剛性部３０を更に備える。【選択図】図２
2020202895.tif 000002
【特許請求の範囲】
【請求項１】
第１領域と、前記第１領域よりも内側に位置し、且つ、少なくとも踏み付け部のうち足の第１ＭＰ関節、第２ＭＰ関節及び第３ＭＰ関節に対応する部分に位置する第２領域と、を有するアウトソール本体を備え、
前記第２領域上に配置された前記アウトソール本体よりも剛性が高いプレート状の高剛性部を更に備えるか、又は、前記第２領域が前記第１領域よりも剛性が高い高剛性部から形成されている、
ことを特徴とする投擲用シューズのアウトソール。
【請求項２】
前記高剛性部は、少なくとも足趾部から中足部まで連続的に設けられている、
ことを特徴とする請求項１に記載の投擲用シューズのアウトソール。
【請求項３】
前記高剛性部は、前記足趾部から前記踏み付け部に向けて前後方向に延びる複数の切り込み部によって幅方向に分割された複数の分割部を有し、
前記複数の分割部は、内足側に位置するものほど幅が広くなっている、
ことを特徴とする請求項２に記載の投擲用シューズのアウトソール。
【請求項４】
前記高剛性部は、前記足趾部から前記踏み付け部までの部分が前後方向に湾曲し、それ以外の部分が平面状である、
ことを特徴とする請求項３に記載の投擲用シューズのアウトソール。
【請求項５】
前記第２領域の接地面は、平面又は曲面であり、
前記第１領域の接地面は、前記第２領域の接地面よりも幅方向の曲率が大きな曲面であり、
前記第２領域は、前記第１領域よりも剛性が高い、
ことを特徴とする請求項１から４の何れかに記載の投擲用シューズのアウトソール。
【請求項６】
少なくとも前足部における前記第１領域の接地面は、内足側に位置する部分の方が外足側に位置する部分よりも幅方向の曲率が大きい、
ことを特徴とする請求項５に記載の投擲用シューズのアウトソール。
【請求項７】
少なくとも内足側において足の第１基節骨又は第１末節骨の前方に対応する部分は前記第１領域とされ、
前記第２領域は、幅方向中央部が最も前方に突出している、
ことを特徴とする請求項１から６の何れかに記載の投擲用シューズのアウトソール。
【請求項８】
前記第２領域は、前記アウトソール本体に形成された凹溝を備え、
前記プレート状の高剛性部は、前記凹溝に嵌合され、
前記第１領域の上面と前記プレート状の高剛性部の上面とが略面一である、
ことを特徴とする請求項１から７の何れかに記載の投擲用シューズのアウトソール。
【請求項９】
少なくとも前足部から中足部までの前記第２領域の接地面が平滑面である、
ことを特徴とする請求項１から８の何れかに記載の投擲用シューズのアウトソール。
【請求項１０】
請求項１から９の何れかに記載のアウトソールと、
アッパーと、を備える、
ことを特徴とする投擲用シューズ。
【請求項１１】
前記アッパーの底面と前記アウトソールの上面とが接触している、
ことを特徴とする請求項１０に記載の投擲用シューズ。
【発明の詳細な説明】
【技術分野】
【０００１】
本発明は、ハンマー投げ、砲丸投げ、円盤投げなどの投擲用シューズのアウトソール及びこれを備えた投擲用シューズに関する。特に、本発明は、地面への踏み付け力を伝え易くしてグリップ性を高めると共に、スムーズな回転動作を行うことができる投擲用シューズのアウトソール及びこれを備えた投擲用シューズに関する。
【背景技術】
【０００２】
従来、ハンマー投げ、砲丸投げ、円盤投げなどの投擲用シューズのアウトソールとして、例えば、特許文献１、２のアウトソールが提案されている。
特許文献１に記載のアウトソールは、軸足用のアウトソールの接地面の所定領域に環状突部又は環状溝を形成し、他方の足用のアウトソールの接地面の所定領域に任意形状の突起又は凹部を複数形成したものである（特許文献１の実用新案登録請求の範囲等）。
特許文献２に記載のアウトソールは、アウトソールの接地面の所定の領域に複数の溝を形成したものである（特許文献２の特許請求の範囲等）。
【０００３】
特許文献１、２に記載のアウトソールは、いずれも接地面に形成する突起や溝の配置や形状に工夫を施したものであり、グリップ性の向上及びスムーズな回転動作の双方を実現する上で十分ではなかった。
【先行技術文献】
【特許文献】
【０００４】
【特許文献１】実開平４−２３４０５号公報
【特許文献２】特開２００２−４５２０４号公報
【発明の概要】
【発明が解決しようとする課題】
【０００５】
本発明は、上記従来技術の問題点を解決するべくなされたものであり、地面への踏み付け力を伝え易くしてグリップ性を高めると共に、スムーズな回転動作を行うことができる投擲用シューズのアウトソール及びこれを備えた投擲用シューズを提供することを課題とする。
【課題を解決するための手段】
【０００６】
前記課題を解決するため、本発明は、第１領域と、前記第１領域よりも内側に位置し、且つ、少なくとも踏み付け部のうち足の第１ＭＰ関節、第２ＭＰ関節及び第３ＭＰ関節に対応する部分に位置する第２領域と、を有するアウトソール本体を備え、前記第２領域上に配置された前記アウトソール本体よりも剛性が高いプレート状の高剛性部を更に備えるか、又は、前記第２領域が前記第１領域よりも剛性が高い高剛性部から形成されている、ことを特徴とする投擲用シューズのアウトソールを提供する。
【０００７】
本発明によれば、アウトソール本体が、第１領域と、第１領域よりも内側に位置し、踏み付け部（着用者の足の第１〜第５ＭＰ関節に概ね対応する（着用時にこれらＭＰ関節の下側に位置する）部分）のうち、両足支持期に地面への踏み付け力が比較的多くかかりやすい第１ＭＰ関節、第２ＭＰ関節及び第３ＭＰ関節に対応する部分に少なくとも位置する第２領域と、を有する。そして、本発明の一の態様においては、第２領域上にアウトソール本体（第１領域及び第２領域を有する部材）よりも剛性が高いプレート状の高剛性部が配置されている。高剛性部は、アウトソール本体よりも剛性が高いため、変形量が同じであれば、元に戻ろうとする反発力が大きくなる結果、地面への踏み付け力が伝わり易く、グリップ性を高めることが可能である。一方、回転動作の際に使用することが多い外側に位置する第１領域は、高剛性部よりも剛性が低いために変形し易く、回転動作をスムーズに行うことが可能である。なお、上記の一の態様については、第１領域の剛性と第２領域の剛性とは、同じであってもよい。
また、本発明の他の態様においては、プレート状の高剛性部を備える代わりに、アウトソール本体が有する第２領域が第１領域よりも剛性が高い高剛性部から形成されている。この態様についても、上記の一の態様と同様に、高剛性部から形成された第２領域によって、地面への踏み付け力が伝わり易く、グリップ性を高めることが可能であり、高剛性部よりも剛性が低い第１領域によって、回転動作をスムーズに行うことが可能である。
以上のように、本発明によれば、地面への踏み付け力を伝え易くしてグリップ性を高めると共に、スムーズな回転動作を行うことができる投擲用シューズのアウトソールが提供される。
【０００８】
なお、本発明において、第２領域が「第１領域よりも内側に位置」するとは、足の前側（末節骨側）と後側（踵骨側）とを結ぶ直線の方向である「前後方向」については、第２領域の前端が第１領域の前端よりも後側に位置し、且つ、第２領域の後端が第１領域の後端よりも前側に位置し、「前後方向」に直交する「幅方向」については、第２領域の内足側（母指（第１指）側）の端が第１領域の内足側の端よりも外足側（小指（第５指）側）に位置し、且つ、第２領域の外足側の端が第１領域の外足側の端よりも内足側に位置することを意味する。
また、本発明において、「足の第１ＭＰ関節、第２ＭＰ関節及び第３ＭＰ関節に対応する部分に位置する第２領域」とは、第１ＭＰ関節の全体、第２ＭＰ関節の全体及び第３ＭＰ関節の全体の下側に位置する領域に限るものではなく、第１ＭＰ関節の少なくとも一部、第２ＭＰ関節の少なくとも一部及び第３ＭＰ関節の少なくとも一部の下側に位置する領域を含む概念である。
【０００９】
好ましくは、前記高剛性部は、少なくとも足趾部から中足部まで連続的に設けられている。
【００１０】
上記の好ましい構成によれば、高剛性部が少なくとも足趾部から中足部まで連続的に（前後方向に分断することなく）設けられているため、両足支持期に地面への踏み付け力をより一層伝え易くして、より一層グリップ性を高めることが可能である。
【００１１】
なお、上記の好ましい構成において、「足趾部」とは、ＭＰ関節よりも前方に位置する趾骨に概ね対応する（着用時に趾骨の下側に位置する）部分を意味する。また、「中足部」とは、楔状骨、舟状骨及び立方骨に概ね対応する（着用時にこれらの骨の下側に位置する）部分を意味する。アウトソールの全長を１００％とした場合、アウトソールの前端から概ね５〜３０％の領域が足趾部に対応し、概ね３０〜８５％の領域が中足部に対応する。さらに、「高剛性部が少なくとも足趾部から中足部まで連続的に設けられている」とは、足趾部の全体から中足部の全体まで連続的に高剛性部が設けられている場合に限るものではなく、足趾部の少なくとも一部から中足部の少なくとも一部まで連続的に高剛性部が設けられている場合を含む概念である。
【００１２】
好ましくは、前記高剛性部は、前記足趾部から前記踏み付け部に向けて前後方向に延びる複数の切り込み部によって幅方向に分割された複数の分割部を有し、前記複数の分割部は、内足側に位置するものほど幅が広くなっている。
【００１３】
上記の好ましい構成によれば、高剛性部が複数の切り込み部によって幅方向に分割された複数の分割部を有するため、切り込み部が設けられずに幅方向に連続的に設けられた高剛性部である場合に比べて、アウトソールが幅方向に屈曲し易くなるため、回転動作に支障を来さないという利点が得られる。また、足趾部及び踏み付け部は、内足側に位置する部分ほど、両足支持期に地面への踏み付け力が比較的多くかかりやすいため、複数の分割部の幅が内足側に位置するものほど広くなっていることで、回転動作に支障を来さない状態で、踏み付け力を伝え易くして、グリップ性を高めることが可能である。
【００１４】
なお、上記の好ましい構成において、「内足側」とは、前述のように、アウトソールの幅方向の両側のうち母指（第１指）側を意味する。また、「複数の分割部は、内足側に位置するものほど幅が広くなっている」とは、各分割部の幅方向の寸法（幅）の平均値又は最大値が、内足側に位置する分割部ほど大きいことを意味する。
【００１５】
好ましくは、前記高剛性部は、前記足趾部から前記踏み付け部までの部分が前後方向に湾曲し、それ以外の部分が平面状である。
【００１６】
一般に、アウトソール本体は、足趾部から踏み付け部までの部分が前後方向に湾曲し、それ以外の部分が平面状になっている。
したがい、上記の好ましい構成によれば、アウトソール本体の第２領域上に配置されたプレート状の高剛性部を備える一の態様において、高剛性部をアウトソール本体に沿って容易に配置することが可能である。
【００１７】
好ましくは、前記第２領域の接地面は、平面又は曲面であり、前記第１領域の接地面は、前記第２領域の接地面よりも幅方向の曲率が大きな曲面であり、前記第２領域は、前記第１領域よりも剛性が高い。
【００１８】
上記の好ましい構成によれば、外側に位置する第１領域の接地面が内側に位置する第２領域の接地面よりも幅方向の曲率が大きいため、回転動作の際に第２領域の接地面をスムーズに接地させ易くなり、回転動作をより一層スムーズに行うことが可能である。また、第２領域の剛性が第１領域の剛性よりも高いため、地面への踏み付け力がより一層伝わり易く、グリップ性をより一層高めることが可能である。
【００１９】
なお、上記の好ましい構成において、「前記第２領域は、前記第１領域よりも剛性が高い」とは、アウトソール本体の第２領域上に配置されたプレート状の高剛性部を備える一の態様の場合、アウトソール本体の第２領域が第１領域よりも剛性が高いことを意味する。すなわち、プレート状の高剛性部の剛性＞アウトソール本体の第２領域の剛性＞アウトソール本体の第１領域の剛性、の順に剛性が高いことを意味する。また、アウトソール本体が有する第２領域が第１領域よりも剛性が高い高剛性部から形成されている他の態様の場合、アウトソール本体の第２領域（高剛性部）が第１領域よりも剛性が高いことを意味する。
【００２０】
好ましくは、少なくとも前足部における前記第１領域の接地面は、内足側に位置する部分の方が外足側に位置する部分よりも幅方向の曲率が大きい。
【００２１】
上記の好ましい構成によれば、第１領域の接地面の内足側に位置する部分の方が外足側に位置する部分よりも幅方向の曲率が大きいため、特に内足側に足を大きく傾けるハンマー投げに適した回転動作を行うことが可能である。
【００２２】
なお、上記の好ましい構成において、「前足部」とは、趾骨、ＭＰ関節及び中足骨に概ね対応する（着用時にこれらの骨の下側に位置する）部分を意味する。アウトソールの全長を１００％とした場合、アウトソールの前端から概ね０〜３０％の領域が前足部に対応する。また、「外足側」とは、前述のように、アウトソールの幅方向の両側のうち小指（第５指）側を意味する。
【００２３】
好ましくは、少なくとも内足側において足の第１基節骨又は第１末節骨の前方に対応する部分は前記第１領域とされ、前記第２領域は、幅方向中央部が最も前方に突出している。
【００２４】
上記の好ましい構成によれば、両足支持期とリリース時の双方において、地面への踏み付け力をより一層伝え易くして、より一層グリップ性を高めることが可能である。
【００２５】
好ましくは、前記第２領域は、前記アウトソール本体に形成された凹溝を備え、前記プレート状の高剛性部は、前記凹溝に嵌合され、前記第１領域の上面と前記プレート状の高剛性部の上面とが略面一である。
【００２６】
上記の好ましい構成によれば、第１領域の上面と、第２領域（凹溝）上に配置されたプレート状の高剛性部の上面とが略面一であるため、着用時に足当たりが良いという利点が得られる。
【００２７】
好ましくは、少なくとも前足部から中足部までの前記第２領域の接地面が平滑面である。
【００２８】
上記の好ましい構成によれば、より一層グリップ性を高めることが可能である。
【００２９】
なお、上記の好ましい構成において、「接地面が平滑面である」とは、特許文献１、２に記載されているような突起や溝等の意匠が接地面に形成されておらず、例えば、鏡面加工が施されているものが好ましいが、サンドブラスト加工が施されているものでもよい。
【００３０】
また、前記課題を解決するため、本発明は、上記の何れかに記載のアウトソールと、アッパーと、を備える、ことを特徴とする投擲用シューズとしても提供される。
【００３１】
好ましくは、前記アッパーの底面と前記アウトソールの上面とが接触している。
【００３２】
上記の好ましい構成によれば、アッパーの底面とアウトソールの上面とが接触している、換言すれば、アッパーの底面とアウトソールの上面との間にミッドソールが存在しないため、着用時の足の裏面と地面との距離を短くすることができ、地面への踏み付け力をより一層伝え易くして、より一層グリップ性を高めることが可能である。
ただし、本発明に係る投擲用シューズは、上記の好ましい構成に限るものではなく、ミッドソールを備えた投擲用シューズとすることも可能である。この場合、ミッドソールの厚みをアウトソールの厚みよりも小さくすることで、地面への踏み付け力をより伝え易くして、グリップ性を高めることが可能である。
【発明の効果】
【００３３】
本発明によれば、地面への踏み付け力を伝え易くしてグリップ性を高めると共に、スムーズな回転動作を行うことができる。
【図面の簡単な説明】
【００３４】
【図１】本発明の一実施形態に係る投擲用シューズの概略構成を示す上面斜視図である。
【図２】本発明の一実施形態に係る投擲用シューズの概略構成を示す上面斜視分解図である。
【図３】本発明の一実施形態に係る投擲用シューズの概略構成を示す下面斜視図である。
【図４】本発明の一実施形態に係るアウトソールと足の骨との位置関係を示す平面図である。
【図５】本発明の一実施形態に係るアウトソールの概略構成を示す図である。
【図６】本発明の一実施形態に係るアウトソールの概略構成を示す断面図である。
【図７】本発明の変形例に係るアウトソールの前足部と足の骨との位置関係を示す平面図である。
【発明を実施するための形態】
【００３５】
以下、添付図面を適宜参照しつつ、本発明の一実施形態に係る投擲用シューズのアウトソール及びこれを備えた投擲用シューズについて説明する。
【００３６】
図１は、本発明の一実施形態に係る投擲用シューズの概略構成を示す上面斜視図である。図２は、本実施形態に係る投擲用シューズの概略構成を示す上面斜視分解図である。図３は、本実施形態に係る投擲用シューズの概略構成を示す下面斜視図である。図４は、本実施形態に係るアウトソールと足の骨との位置関係を示す平面図である。図１〜図４では、投擲用シューズ及びアウトソールとして、左足用を図示しているが、右足用は左足用と線対称の形状を有するので図示を省略し、以下、左足用についてのみ説明する。
図１〜図３に示すように、本実施形態に係る投擲用シューズ１００は、実線で示すアウトソール１０と、破線で示すアッパー４０と、を備えている。本実施形態に係る投擲用シューズ１００では、図２に示すように、アッパー４０の底面４１とアウトソール１０の上面（本実施形態では、アウトソール本体２０の上面及び高剛性部３０の上面）とが接触しており、ミッドソールが存在しない。
【００３７】
本実施形態に係るアウトソール１０は、アウトソール本体２０と、アウトソール本体２０上に配置されたプレート状の高剛性部３０とを備えている。
アウトソール本体２０は、第１領域２１と、第１領域２１よりも内側に位置する第２領域２２（図１〜図３において、ドット状のハッチングを施した領域）と、を有する。
図２に示すように、本実施形態の第２領域２２は、アウトソール本体２０に形成された凹溝２２ａを備え、図１に示すように、高剛性部３０は、第２領域２２の凹溝２２ａに嵌合され、第１領域２１の上面と高剛性部３０の上面とが略面一になっている。本実施形態では、高剛性部３０は、アウトソール本体２０の凹溝２２ａに嵌合されているだけであり、接着剤等によってアウトソール本体２０に固定されてはいない。
ただし、本発明はこれに限るものではなく、高剛性部３０が接着剤等によって凹溝２２ａに固定されていてもよい。また、第２領域２２に凹溝２２ａを設けず、第２領域２２上に高剛性部３０を単に載せる構成でもよい。この場合、第１領域２１の上面と高剛性部３０の上面とが面一にならない（高剛性部３０の上面が、高剛性部３０の厚み分だけ第１領域２１の上面よりも上方に突出する）。着用時の足当たりの違和感を解消したい場合、例えば、アウトソール１０の上面に厚みの小さなミッドソールを配置すればよい。
【００３８】
図４に示すように、高剛性部３０が配置される第２領域２２は、少なくとも踏み付け部（着用者の足の第１〜第５ＭＰ関節に概ね対応する部分）のうちハッチングを施した足の第１ＭＰ関節、第２ＭＰ関節及び第３ＭＰ関節に対応する部分に位置する。
具体的には、本実施形態の第２領域２２は、好ましい態様として、少なくとも足趾部（ＭＰ関節よりも前方に位置する趾骨に概ね対応する部分）から中足部（楔状骨、舟状骨及び立方骨に概ね対応する部分）に対応する位置まで連続的に設けられている。これに伴い、第２領域２２の凹溝２２ａに嵌合する高剛性部３０は、少なくとも足趾部から中足部に対応する位置まで連続的に設けられている。
より具体的には、図４に示すように、本実施形態の第２領域２２は、好ましい態様として、足趾部から後足部（距骨及び踵骨に概ね対応する部分）に対応する位置まで連続的に設けられている。これに伴い、第２領域２２に嵌合する高剛性部３０は、足趾部から後足部に対応する位置まで連続的に設けられている。
【００３９】
アウトソール本体２０は、例えば、ラバー又は樹脂から形成されている。一方、高剛性部３０は、例えば、ナイロン、ポリプロピレン又はポリウレタンから形成され、アウトソール本体２０よりも剛性が高くなっている。アウトソール本体２０の第１領域２１の硬度は、ＨＡ６０以上が好ましく、６５以上がより好ましい。第２領域２２の硬度は、ＨＡ６０以上が好ましく、７０以上がより好ましい。高剛性部３０の硬度は、ＨＤ６０以上が好ましく、６５以上がより好ましい。
【００４０】
また、本実施形態のアウトソール本体２０は、好ましい態様として、第２領域２２が第１領域２１よりも剛性が高くなっている。すなわち、図１、図２及び図３において、アウトソール本体２０のドット状のハッチングを施した第２領域２２の剛性が、ハッチングを施していない第１領域２１の剛性よりも高くなっている。したがい、高剛性部３０の剛性＞アウトソール本体２０の第２領域２２の剛性＞アウトソール本体２０の第１領域２１の剛性、の順に剛性が高くなっている。
【００４１】
第１領域２１を形成する材料としては、例えば、ゴム成分を含む粘弾性体であることが好ましい。粘弾性体としては、２３℃、周波数１０Ｈｚ、静歪み１０％、動歪み７％の条件下における動的粘弾性測定での損失係数［ｔａｎδ］が０．１７以上であることが好ましい。また、同条件下における動的粘弾性測定での貯蔵弾性率［Ｅ’］が５．７ＭＰａ以下であることが好ましい。さらに、１００％伸張時の引張応力に対する３００％伸張時の引張応力の比［Ｍ３００／Ｍ１００］が４．４以上であるものが好ましい。ゴム成分は、スチレンブタジエンランダム共重合体ゴムを含むことが好ましい。
第１領域２１を上記のような材料で形成することで、グリップ性が高く、回転時の点接地時や蹴り出しの最終局面においてもエネルギーロスが起こらない。また、雨にも強いという効果が得られる。
【００４２】
第２領域２２を形成する材料としては、例えば、ブタジエンゴムとシリカとを含むゴム組成物であることが好ましい。このゴム組成物は、オイルをさらに含有し、このオイルの質量平均分子量が１０６０以上１８００未満であることが好ましい。ブタジエンゴムは、含有する全てのゴムの量を１００質量部とした際に８５質量部を超える割合で含まれており、且つ、ブタジエンゴムは、分子構造の８０％以上がシス−１，４単位となっているハイシスタイプのブタジエンゴムであることが好ましい。
第２領域２２を上記のような材料で形成することで、耐摩耗性に優れ、回転の際の摩耗によるエネルギーロスを防ぐことができる。
【００４３】
なお、アウトソール本体２０に第１領域２１及び第２領域２２を形成する、すなわちアウトソール本体２０の剛性を部位によって変えるには、例えば、異なる硬度を有する樹脂を用いて２色成形を行えばよい。この他、加圧条件を変えた複数回のプレス加工を行うことでも実現できる。具体的には、１回目のプレス加工で第２領域２２のみを加工し、２回目のプレス加工で第１領域２１のみを加工することが考えられる。また、１回目のプレス加工で全領域を加工し、２回目のプレス加工で第２領域２２のみを加工することも考えられる。
【００４４】
図２や図４に示すように、本実施形態の高剛性部３０は、フォーク状の形状を有する。具体的には、高剛性部３０は、足趾部から踏み付け部に向けて前後方向に延びる複数（本実施形態では２つ）の切り込み部３１によって幅方向に分割された複数（本実施形態では３つ）の分割部３２ａ、３２ｂ、３２ｃを有する。切り込み部３１は、各趾骨に沿うように、斜めに形成（前方に向かうにつれて内足側に向かうように形成）されている。そして、複数の分割部３２ａ、３２ｂ、３２ｃは、内足側（母指側）に位置するものほど幅（各分割部の幅の平均値又は最大値）が広くなっている。すなわち、図２に示すように、分割部３２ａの幅Ｗａ＞分割部３２ｂの幅Ｗｂ＞分割部３２ｃの幅Ｗｃ、の順に広くなっている。
高剛性部３０が嵌合する第２領域２２の凹溝２２ａも、上記の高剛性部３０の形状に応じた切り込み部を有するフォーク状の形状になっている。第２領域２２は、凹溝２２ａの切り込み部を除いて、凹溝２２ａの外縁に概ね沿った形状を有する。
【００４５】
高剛性部３０が複数の切り込み部３１によって幅方向に分割された複数の分割部３２ａ、３２ｂ、３２ｃを有することにより、アウトソール１０が幅方向に屈曲し易くなる。また、足趾部及び踏み付け部は、内足側に位置する部分ほど、両足支持期に地面への踏み付け力が比較的多くかかりやすいため、複数の分割部３２ａ、３２ｂ、３２ｃの幅が上記のようになっていることで、回転動作に支障を来さない状態で、踏み付け力を伝え易くして、グリップ性を高めることが可能である。
切り込み部３１の幅は、分割部３２ａ、３２ｂ、３２ｃの幅よりも小さい。また、切り込み部３１は、ＭＰ関節に概ね対応する踏み付け部まで延びている。これにより、高剛性部３０の強度を維持しつつ、屈曲性を付与することができる。
【００４６】
なお、高剛性部３０が切り込み部３１によって分割された分割部３２ａ、３２ｂ、３２ｃを有することが好ましいが、本発明はこれに限るものではなく、高剛性部３０に切り込み部３１が設けられていなくてもよい。また、切り込み部３１の数（これに応じて決まる分割部の数）は適宜変更可能である。さらに、切り込み部３１に相当する部分の厚みが、他の部分の厚みよりも小さく形成されていてもよい。
【００４７】
図４に示すように、本実施形態のアウトソール本体２０では、少なくとも内足側において、ハッチングを施した足の第１基節骨の前方に対応する部分は第１領域２１とされている。換言すれば、本実施形態のアウトソール本体２０では、少なくとも内足側において、第１基節骨の前方に対応する部分に第２領域２２を有しない（したがって、凹溝２２ａを有しない）。また、第２領域２２及び凹溝２２ａは、幅方向中央部が最も前方に突出している。具体的には、分割部３２ｂが凹溝２２ａに嵌合する幅方向中央部が最も前方に突出している。上記の形状を有する第２領域２２の凹溝２２ａに嵌合する高剛性部３０も、上記の第２領域２２の凹溝２２ａの形状に応じた形状になっている。
【００４８】
図３に示すように、少なくとも前足部から中足部までの第２領域２２の接地面（本実施形態ではアウトソール本体２０の接地面全体）は平滑面であり、特許文献１、２に記載されているような突起や溝等の意匠が接地面に形成されていない。
なお、第２領域２２の接地面が平滑面であればよく、例えば、第１領域２１と第２領域２２との間に溝が形成されていてもよい。
【００４９】
図５は、本実施形態に係るアウトソール１０の概略構成を示す図である。図５（ａ）は上面図を、図５（ｂ）は内足側から見た側面図を、図５（ｃ）は下面図を、図５（ｄ）は外足側から見た側面図を示す。なお、図５（ｃ）には、第２領域２２にドット状のハッチングを施しているが、図５（ａ）では省略している。また、図５（ａ）及び図５（ｃ）に示すＡＡ線は、アウトソール１０の中心線（最も前方に位置する点と最も後方に位置する点とを結ぶ直線）を意味する。また、図５（ａ）〜（ｄ）にそれぞれ示すＢＢ線、ＣＣ線、ＤＤ線及びＥＥ線は、アウトソール１０の前後方向の同じ位置を示している。さらに、図５（ｂ）及び（ｄ）に示す直線Ｈは、地面を意味する。図５では、アウトソール１０として、左足用を図示しているが、右足用は左足用と線対称の形状を有するので図示を省略し、以下、左足用についてのみ説明する。
図６は、本実施形態に係るアウトソール１０の概略構成を示す断面図である。図６（ａ）は図５（ａ）に示すＡＡ線に沿った断面を内足側から見た図を、図６（ｂ）は図５（ａ）に示すＢＢ線に沿った断面を後側から見た図を、図６（ｃ）は図５（ａ）に示すＣＣ線に沿った断面を後側から見た図を、図６（ｄ）は図５（ａ）に示すＤＤ線に沿った断面を後側から見た図を、図６（ｅ）は図５（ａ）に示すＥＥ線に沿った断面を後側から見た図を示す。なお、図６において、高剛性部３０にはハッチングを施している。
【００５０】
図６から分かるように、高剛性部３０の厚みは、アウトソール本体２０の凹溝が設けられていない部分（高剛性部３０が配置されていない部分）の厚みの半分以上である。また、高剛性部３０の厚みは、アウトソール本体２０の凹溝が設けられている部分の厚みと同じか又は少し大きい。高剛性部３０が上記のような厚みを有することで、地面への踏み付け力をより確実に伝えることができる。
【００５１】
図６（ａ）から分かるように、本実施形態の高剛性部３０は、前端からＣＣ線近傍までの部分が前後方向に湾曲（下に凸に湾曲）し、それ以外の部分（ＣＣ線近傍から後方の部分）が平面状になっている。図４及び図５（ａ）も参照すれば、これは、高剛性部３０が、足趾部から踏み付け部までの部分が前後方向に湾曲し、それ以外の部分が平面状であることを示している。
【００５２】
図６（ｂ）〜（ｅ）から分かるように、高剛性部３０が配置されているアウトソール本体２０の第２領域２２の接地面２ｍは、平面又は曲面（図６に示す例では大部分が平面）である。一方、第１領域２１の接地面２ｉ、２ｏは、第２領域２２の接地面２ｍよりも幅方向の曲率が大きな曲面である。接地面２ｉ、２ｏの曲率半径は５ｍｍ〜２５ｍｍであることが好ましい。接地面２ｍが曲面の場合、その曲率半径は１５０ｍｍ以上であることが好ましい。
【００５３】
また、図６（ｂ）、（ｃ）から分かるように、第１領域２１の接地面２ｉ、２ｏのうち、内足側に位置する接地面２ｉの方が外足側に位置する接地面２ｏよりも幅方向の曲率が大きい。図４及び図５（ａ）も参照すれば、これは、少なくとも前足部における第１領域２１の接地面２ｉ、２ｏのうち、内足側に位置する接地面２ｉの方が外足側に位置する接地面２ｏよりも幅方向の曲率が大きいことを示している。
【００５４】
以上に説明した構成を有する本実施形態に係るアウトソール１０及びこれを備えた投擲用シューズ１００によれば、アウトソール本体２０が、第１領域２１と、第１領域２１よりも内側に位置し、踏み付け部のうち、両足支持期に地面への踏み付け力が比較的多くかかりやすい第１ＭＰ関節、第２ＭＰ関節及び第３ＭＰ関節に対応する部分に少なくとも位置する第２領域２２と、を有する。そして、第２領域２２上にアウトソール本体２０よりも剛性が高いプレート状の高剛性部３０が配置されている。高剛性部３０は、アウトソール本体２０よりも剛性が高いため、変形量が同じであれば、元に戻ろうとする反発力が大きくなる結果、地面への踏み付け力が伝わり易く、グリップ性を高めることが可能である。一方、回転動作の際に使用することが多い外側に位置する第１領域２１は、高剛性部３０よりも剛性が低いために変形し易く、回転動作をスムーズに行うことが可能である。
【００５５】
なお、本実施形態では、アウトソール１０が、アウトソール本体２０と、アウトソール本体２０の第２領域２２上に配置（凹溝２２ａに嵌合）された高剛性部３０と、を備えた構成について説明したが、本発明はこれに限るものではなく、プレート状の高剛性部３０を備える代わりに、アウトソール本体２０が有する第２領域２２が第１領域２１よりも剛性が高い高剛性部から形成されたアウトソールとすることも可能である。すなわち、プレート状の高剛性部３０に代えて、第２領域２２全体が高剛性の樹脂で形成されていてもよい。
【００５６】
また、本実施形態では、少なくとも内足側において、足の第１基節骨の前方に対応する部分が第１領域２１とされたアウトソール本体２０について説明したが、本発明はこれに限るものではなく、図７に示すように、少なくとも内足側において、足の第１末節骨の前方に対応する部分が第１領域２１とされたアウトソール本体にすることも可能である。その他、第１領域２１と第２領域２２との境界は適宜変更可能である。
【００５７】
さらに、本実施形態では、投擲用シューズ１００のアッパー４０の底面４１とアウトソール１０の上面とが接触しており、ミッドソールが存在しない構成について説明したが、本発明はこれに限るものではなく、ミッドソールを備えた投擲用シューズとすることも可能である。この場合、ミッドソールの厚みをアウトソール１０の厚みよりも小さくすることで、地面への踏み付け力をより伝え易くして、グリップ性を高めることが可能である。
【符号の説明】
【００５８】
１０・・・アウトソール
２０・・・アウトソール本体
３０・・・高剛性部
４０・・・アッパー
２１・・・第１領域
２２・・・第２領域
２２ａ・・・凹溝
１００・・・投擲用シューズ
【図１】
2020202895.tif 000003
【図２】
2020202895.tif 000004
【図３】
2020202895.tif 000005
【図４】
2020202895.tif 000006
【図５】
2020202895.tif 000007
【図６】
2020202895.tif 000008
【図７】
2020202895.tif 000009